(57)【要約】【課題】小型化を図ることができる表示装置を提供する。【解決手段】表示装置１０は、プロジェクタ１１と、スクリーン１６と、プロジェクタ１１から出射される表示光をスクリーン１６へ導く第１反射ユニット１２および第２反射ユニット１３と、スクリーン１６、プロジェクタ１１、第１反射ユニット１２および第２反射ユニット１３が装着されたベース部材１４と、を備える。第１反射ユニット１２は、ミラーとミラーを保持するミラーホルダ１２２とミラーホルダ１２２を支持する支持部材１２３と、を有する。支持部材１２３は、ベース部材１４に対して第１回転軸Ｊ１周りに回転可能な状態でベース部材１４に装着されている。ミラーホルダ１２２は、支持部材１２３に対して第１回転軸Ｊ１に直交する第２回転軸Ｊ２周りに回転可能な状態で支持部材１２３に支持されている。【選択図】図２
2017167292.tif 000002
【特許請求の範囲】
【請求項１】
プロジェクタと、
スクリーンと、
前記プロジェクタから出射される表示光を前記スクリーンへ導く導光部と、
前記プロジェクタおよび前記導光部が装着されたベース部材と、を備え、
前記導光部は、
光を反射するミラーと、
前記ミラーを保持するミラーホルダと、
前記ミラーホルダを支持する支持部材と、を備え、
前記支持部材は、前記ベース部材に対して前記支持部材及び前記ベース部材を貫くように延びる第１回転軸周りに回転可能な状態で前記ベース部材に取り付けられ、
前記ミラーホルダは、前記支持部材に対して前記第１回転軸に直交し且つ前記ミラーの鏡面に沿う第２回転軸周りに回転可能な状態で前記支持部材に支持されている、
表示装置。
【請求項２】
前記ミラーホルダは、
前記ミラーの外周を覆いつつ前記ミラーを保持する枠部と、
前記枠部における前記ベース部材側の端部に位置し、前記ミラーの厚さ方向に沿って延びる固定片と、を有し、
前記支持部材は、
前記ミラーホルダを両側から挟み込むように前記第２回転軸方向に沿って配置され、前記ミラーホルダを前記第２回転軸方向に回転可能に支持する２つの支柱部と、
前記ミラーホルダと前記ベース部材との間に位置し、前記２つの支柱部における前記ベース部材側の端部同士を連結する基台部と、を有し、
前記固定片には、前記ミラーの厚さ方向に延伸する第１長孔が設けられ、
前記基台部には、前記固定片の前記第１長孔と連通する第１螺子孔が設けられ、
前記ミラーホルダは、前記第１長孔に挿通された螺子が前記第１螺子孔に螺着されることにより、前記支持部材に固定される、
請求項１に記載の表示装置。
【請求項３】
前記固定片における前記基台部側とは反対側の面における前記第１長孔の外周縁部には、前記第１長孔に近づくほど深くなるように傾斜し、前記螺子が前記第１螺子孔に螺着された状態で前記螺子の頭部が接触するテーパ部が設けられている、
請求項２に記載の表示装置。
【請求項４】
前記基台部は、更に、
前記ベース部材側に突出し前記第１回転軸を中心軸とする軸部を有し、前記軸部の中心軸方向に前記基台部を貫通し前記軸部を中心とする円弧に沿って延伸する少なくとも１つの第２長孔が設けられ、
前記ベース部材は、
前記基台部の前記軸部に対応する部位に前記軸部が嵌合する軸受孔が設けられるとともに、前記基台部の前記第２長孔に対応する部位に第２螺子孔が設けられている、
請求項２または３に記載の表示装置。
【発明の詳細な説明】
【技術分野】
【０００１】
本発明は、表示装置に関する。
【背景技術】
【０００２】
表示ユニットから出射される表示光を複数のミラーを用いてフロントガラス等の投射部材に導く構成のヘッドアップディスプレイ装置が提案されている（例えば特許文献１参照）。特許文献１に記載されたヘッドアップディスプレイ装置は、表示ユニットと表示ユニットへ光を照射するバックライトユニットとを備える。このヘッドアップディスプレイ装置では、表示ユニットの位置や姿勢を調整することにより、投射部材に投影される画像の位置や傾きを調整することができる。
【先行技術文献】
【特許文献】
【０００３】
【特許文献１】特開２００８−２２４７９１号公報
【発明の概要】
【発明が解決しようとする課題】
【０００４】
ところで、特許文献１に記載されているような表示ユニットとバックライトユニットとを採用する代わりに、これに比べて大きな画像を投影できるプロジェクタを採用したヘッドアップディスプレイ装置が提案されつつある。但し、プロジェクタは、液晶ディスプレイに比べて大型であるためプロジェクタの位置や姿勢を調整する機構も大型化する傾向にある。そのため、投射部材に投影される画像の位置や傾きを調整可能としつつ、ヘッドアップディスプレイ装置を小型化することが要請されている。
【０００５】
本発明は、上記事由に鑑みてなされたものであり、小型化を図ることができる表示装置を提供することを目的とする。
【課題を解決するための手段】
【０００６】
上記目的を達成するため、本発明に係る表示装置は、
プロジェクタと、
スクリーンと、
前記プロジェクタから出射される表示光を前記スクリーンへ導く導光部と、
前記プロジェクタおよび前記導光部が装着されたベース部材と、を備え、
前記導光部は、
光を反射するミラーと、
前記ミラーを保持するミラーホルダと、
前記ミラーホルダを支持する支持部材と、を備え、
前記支持部材は、前記ベース部材に対して前記支持部材及び前記ベース部材を貫くように延びる第１回転軸周りに回転可能な状態で前記ベース部材に取り付けられ、
前記ミラーホルダは、前記支持部材に対して前記第１回転軸に直交し且つ前記ミラーの鏡面に沿う第２回転軸周りに回転可能な状態で前記支持部材に支持されている。
【発明の効果】
【０００７】
本発明によれば、小型化を図ることができる。
【図面の簡単な説明】
【０００８】
【図１】本発明の実施形態に係るヘッドアップディスプレイ装置の全体構成を示す概略図である。
【図２】実施形態に係る表示装置の一部を示す斜視図である。
【図３】実施形態に係る第１反射ユニットのベース部材に取り付けられた状態における斜視図である。
【図４】実施形態に係る第１反射ユニットの正面図である。
【図５】実施形態に係る第１反射ユニットを示し、（Ａ）は図４のＡ−Ａ線における断面矢視図、（Ｂ）は（Ａ）の破線で囲んだ部分の拡大図である。
【図６】実施形態に係る第１反射ユニットを示し、（Ａ）は平面図であり、（Ｂ）はベース部材に取り付けられた状態における平面図である。
【図７】実施形態に係る第１反射ユニットの前方に傾いた状態を示し、（Ａ）は断面図、（Ｂ）は（Ａ）の破線で囲んだ部分の拡大図である。
【図８】実施形態に係る第１反射ユニットのベース部材に取り付けられた状態において軸部を中心にして右回りに回転させた状態を示す平面図である。
【発明を実施するための形態】
【０００９】
以下に、本発明の一実施形態に係るヘッドアップディスプレイ装置について添付図面を参照しながら説明する。このヘッドアップディスプレイ装置は、例えば自動車等の車両に搭載される。図１に示すように、ヘッドアップディスプレイ装置１は、上ケース２と下ケース９と表示装置１０とブラインドカバー６と平面鏡４と凹面鏡３とカバーガラス５とを備える。表示装置１０とブラインドカバー６と平面鏡４と凹面鏡３とは、上ケース２と下ケース９とで囲まれた領域内に配置されている。カバーガラス５は、上ケース２の周壁の一部に設けられた開口部２ａを覆うように配置されている。
【００１０】
このヘッドアップディスプレイ装置１では、表示装置１０から出射した表示光Ｌが、平面鏡４および凹面鏡３で順に反射されてカバーガラス５を通じて車両のフロントガラスＦに照射される。そして、搭乗者Ｐは、フロントガラスＦに照射された表示光Ｌを視認できる。表示光Ｌによる表示内容としては、例えば各種車両情報やナビゲーション情報等が挙げられる。
【００１１】
表示装置１０は、図２に示すように、プロジェクタ１１と、第１反射ユニット１２と、第２反射ユニット１３と、スクリーン１６と、プロジェクタ１１、第１反射ユニット１２、第２反射ユニット１３およびスクリーン１６が装着されたベース部材１４と、を備える。また、表示装置１０は、プロジェクタ１１を制御する制御回路基板１５と、制御回路基板１５を支持する基板ホルダ１７２と、制御回路基板１５における基板ホルダ１７２側とは反対側を覆う基板カバー１７１と、を備える。更に、表示装置１０は、プロジェクタ１１、第１反射ユニット１２、第２反射ユニット１３を覆うように、ベース部材１４に固定される装置カバー（図示せず）を備える。なお、本実施の形態では、第１反射ユニット１２及び第２反射ユニット１３それぞれが導光部を構成している。
【００１２】
ベース部材１４は、一部に開口部１４１ａが貫設された本体部１４１とプロジェクタ１１が固定されるプロジェクタ固定部１４２とスクリーン１６が固定されるスクリーン固定部１４３と、を有する。スクリーン固定部１４３は、本体部１４１に設けられた開口部１４１ａを囲むように、本体部１４１の下面に立設されている。本体部１４１における、後述の支持部材１２３の基台部１２３ｃの軸部１２３ｇに対応する部位には、軸部１２３ｇが嵌合する軸受孔（図５の１４１ｃ参照）が設けられている。また、本体部１４１における、後述の基台部１２３ｃの長孔１２３ｈ、１２３ｉに対応する部位それぞれには、螺子孔（第２螺子孔、図４の１４１ｄ、１４１ｅ参照）が設けられている。更に、本体部１４１における、後述の支持部材１２３の基台部１２３ｃのリブ１２３ｆに対応する部位には、内側にリブ１２３ｆが配置される貫通孔（図５の１４１ｂ参照）が設けられている。
【００１３】
プロジェクタ１１は、フィールドシーケンシャル方式によりスクリーン１６に画像を表示させるものである。このプロジェクタ１１は、第１反射ユニット１２に向かって光を出射できる状態でベース部材１４のベース部材１４のプロジェクタ固定部１４２に固定されている。このプロジェクタ１１は、制御回路基板１５とフレキシブルプリント配線板（図示せず）を介して電気的に接続されている。そして、プロジェクタ１１は、制御回路基板１５からフレキシブルプリント配線板を通じて送られてくる制御信号に応じた表示光を第１反射ユニット１２へ照射する。
【００１４】
スクリーン１６は、透過型スクリーンであり、その周部全体がベース部材１４のスクリーン固定部１４３の先端部に固定されている。このスクリーン１６には、プロジェクタ１１から出射された表示光が結像される。
【００１５】
第１反射ユニット１２と第２反射ユニット１３とは、プロジェクタ１１から出射される表示光をスクリーン１６へ導くためのものである。第１反射ユニット１２は、プロジェクタ１１から出射される表示光を最初に反射するように配置されている。第２反射ユニット１３は、ベース部材１４の本体部１４１の上面において、本体部１４１の開口部１４１ａの外周部に固定されている。第２反射ユニット１３は、その鏡面が本体部１４１における第２反射ユニット１３が固定される一面（上面）に対して傾いた状態で、開口部１４１ａの上方に位置する。
【００１６】
第１反射ユニット１２は、図３に示すように、ミラー１２１とミラーホルダ１２２と支持部材１２３とを有する。第１反射ユニット１２は、支持部材１２３およびベース部材１４を貫くように延びている第１回転軸Ｊ１回りに回転可能な状態でベース部材１４に装着されている。以下、第１回転軸Ｊ１に沿った方向をＺ軸方向とし、Ｚ軸に直交する一方向をＸ軸方向、Ｚ軸方向およびＸ軸方向に直交する方向をＹ軸方向として説明する。また、Ｚ軸方向に沿ってベース部材１４からミラーホルダ１２２に向かう方向を適宜上方向として説明する。ミラー１２１は、例えばソーダガラス等から形成された矩形板状のガラス板の表面にアルミニウムを蒸着したものである。
【００１７】
ミラーホルダ１２２は、第２回転軸Ｊ２周りに回転可能な状態で支持部材１２３に支持されている。このミラーホルダ１２２は、ポリカーボネート等の樹脂材料から形成され、ホルダ本体１２２ａと、ミラー１２１をホルダ本体１２２ａに固定するホルダカバー１２２ｂと、を有する。
【００１８】
ホルダ本体１２２ａは、図５（Ａ）に示すように、ミラー１２１の外周を覆う枠部１２２１と、枠部１２２１におけるベース部材１４側の端部に位置し、ミラー１２１の厚さ方向に沿って延びる固定片１２２６と、を有する。また、ホルダ本体１２２ａは、図３に示すように、枠部１２２１の第２回転軸Ｊ２方向における両端縁に沿った長方形板状の一対の側壁１２２２を有する。側壁１２２２は、枠部１２２１の裏面（プロジェクタ１１に対向する面の裏面）から枠部１２２１の厚さ方向に延出する。固定片１２２６は、枠部１２２１の裏面から後方に延びている。
【００１９】
さらに、ホルダ本体１２２ａは、各側壁１２２２の上端部に連結される側片１２２４を備える。本実施の形態では、各側片１２２４は、三角形板状に形成されるとともに、各側壁１２２２の上端部から第１回転軸Ｊ１に接近する方向へ延びる。
【００２０】
枠部１２２１には、平面視矩形状の開口部１２２３が形成されている。枠部１２２１の表面（プロジェクタ１１に対向する面）には、円柱状のリブ１２２７が設けられている。リブ１２２７は、枠部１２２１における開口部１２２３の上部であって、一対の側壁１２２２の略中央部に設けられている。ミラー１２１は、図５（Ａ）に示すように、ホルダ本体１２２ａの裏面側（図中の右側）において、その鏡面がホルダ本体１２２ａの開口部１２２３側を向いた姿勢でその周部全体が枠部１２２１における開口部１２２３の外周部に当接した状態で配置される。
【００２１】
ホルダ本体１２２ａの両側片１２２４間には、台形状の切欠部１２２５が形成されている。これにより、ホルダカバー１２２ｂを螺子１２７によりホルダ本体１２２ａに固定する際に、ドライバ等の工具が切欠部１２２５を介して螺子１２７へアクセスし易くなっている。ホルダ本体１２２ａの一対の側壁１２２２それぞれの外面には、図４に示すように、第２回転軸Ｊ２に沿って互いに離れる方向へ突出する円柱状の突起部１２４が設けられている。ホルダ本体１２２ａの固定片１２２６の外面１２２ｆは、図５（Ｂ）に示すように、基台部１２３ｃに面接触するとともに、Ｘ軸方向に沿った方向から見たときに基台部１２３ｃに向かって凸となる形の曲面となっている。また、固定片１２２６には、第２回転軸Ｊ２に直交する方向（ミラー１２１の厚さ方向）に延伸する長孔（第１長孔）１２２ｄが設けられている。また、リブ１２２７の内側には、螺子孔１２２８が穿設されている。
【００２２】
図５（Ａ）に示すように、ホルダカバー１２２ｂは、ポリカーボネート等の樹脂材料から形成され、ミラー１２１を枠部１２２１側とは反対側から覆うように配置され、枠部１２２１との間でミラー１２１を挟持する。ホルダカバー１２２ｂにおけるホルダ本体１２２ａの螺子孔１２２８に対応する部位には、貫通孔１２２９が設けられている。そして、ホルダカバー１２２ｂは、貫通孔１２２９に挿通された螺子１２７がホルダ本体１２２ａの螺子孔１２２８に螺着されることにより、ホルダ本体１２２ａに固定されている。
【００２３】
図３に示すように、支持部材１２３は、ベース部材１４に対して第１回転軸Ｊ１周りに回転可能な状態で、ベース部材１４に装着されている。この支持部材１２３は、ポリカーボネート等の樹脂材料から形成され、ホルダ本体１２２ａの第２回転軸Ｊ２方向における両側からホルダ本体１２２ａを支持する２つの支柱部１２３ａ、１２３ｂと、２つの支柱部１２３ａ、１２３ｂそれぞれの基端部に連結された基台部１２３ｃと、を備える。各支柱部１２３ａ、１２３ｂは、第１回転軸Ｊ１に沿う長方形板状に形成されるとともに、互いに対面している。また、各支柱部１２３ａ、１２３ｂは、第２回転軸Ｊ２に沿って配列されている。
【００２４】
図４に示すように、基台部１２３ｃにおけるベース部材１４に接する面には、支柱部１２３ａ、１２３ｂ側とは反対側に突出した円柱状の軸部１２３ｇとリブ１２３ｆとが設けられている。軸部１２３ｇおよびリブ１２３ｆは、それぞれ２つの支柱部１２３ａ、１２３ｂ間の中央に位置する。
【００２５】
図５（Ａ）に示すように、ミラー１２１の厚さ方向において、軸部１２３ｇは、ミラー１２１に対応する位置に設けられ、リブ１２３ｆは、軸部１２３ｇより後方に設けられている。そして、基台部１２３ｃには、図５（Ａ）および（Ｂ）に示すような螺子孔（第１螺子孔）１２３ｊが穿設されている。この螺子孔１２３ｊは、リブ１２３ｆの内部において、第１回転軸Ｊ１に沿って延びる。すなわち、リブ１２３ｆは、螺子孔１２３ｊが形成されることで、固定片１２２６に向かって開口した有底筒状に形成される。この螺子孔１２３ｊは、基台部１２３ｃにおける２つの支柱部１２３ａ、１２３ｂが連結される部位の中間であり、ホルダ本体１２２ａの固定片１２２６の長孔１２２ｄに対応する部位に位置する。また、ミラーホルダ１２２は、ホルダ本体１２２ａの固定片１２２６の長孔１２２ｄに挿通された螺子１２２ｅが基台部１２３ｃの螺子孔１２３ｊに螺着されることにより、支持部材１２３に固定される。また、この螺子孔１２３ｊの中心軸Ｊ３は、第２回転軸Ｊ２と直交する方向に延伸している。
【００２６】
図３に戻って、基台部１２３ｃにおける支柱部１２３ａ近傍には、基台部１２３ｃの短手方向に延出する舌片部１２３ｄが設けられている。舌片部１２３ｄは基台部１２３ｃの表側の端面に設けられ表側に向かって延出する。舌片部１２３ｄは略矩形板状に形成され、ベース部材１４に面接触している。舌片部１２３ｄには、図６（Ａ）に示すように、軸部１２３ｇの中心軸（第１回転軸Ｊ１）方向に基台部１２３ｃを貫通し、軸部１２３ｇを中心とする円弧Ｃ１に沿って延伸する長孔（第２長孔）１２３ｈが設けられている。基台部１２３ｃの支柱部１２３ｂ近傍における支柱部１２３ａ側とは反対側の部位にも、軸部１２３ｇの中心軸（第１回転軸Ｊ１）方向に基台部１２３ｃを貫通し軸部１２３ｇを中心とする円弧Ｃ２に沿って延伸する長孔（第２長孔）１２３ｉが設けられている。すなわち、両長孔１２３ｈ、１２３ｉは、第１回転軸Ｊ１を挟んで基台部１２３ｃの両側に設けられている。ここで、円弧Ｃ１は、第１回転軸Ｊ１を中心とした半径Ｒ１の円弧であり、円弧Ｃ２は、第１回転軸Ｊ１を中心とした半径Ｒ２の円弧である。半径Ｒ１、Ｒ２は、軸部１２３ｇと長孔１２３ｈ、１２３ｉが設けられる場所との間の距離により定まる。また、図５（Ｂ）に示すように、基台部１２３ｃにおけるミラーホルダ１２２側の面１２３ｋは、Ｘ軸方向に沿った方向から見たときに、ホルダ本体１２２ａの固定片１２２６の外面１２２ｆに沿った曲面となっており、ホルダ本体１２２ａの固定片１２２６の外面１２２ｆに面接触している。
【００２７】
ホルダ本体１２２ａの固定片１２２６における基台部１２３ｃ側とは反対側の面における長孔１２２ｄの外周縁部には、長孔１２２ｄに近づくほど深くなるように傾斜したテーパ部１２２ｇが設けられている。
【００２８】
図３に戻って、支柱部１２３ａ、１２３ｂの先端部には、ミラーホルダ１２２の突起部１２４が挿通される凹部１２３ｅが形成されている。凹部１２３ｅは、その底部が突起部１２４に対応する円弧状に形成されている。
【００２９】
この支持部材１２３は、図６（Ｂ）に示すように、リブ１２３ｆ、軸部１２３ｇがそれぞれベース部材１４の本体部１４１に形成された貫通孔１４１ｂおよび軸受孔１４１ｃに挿通された状態で配置される。そして、支持部材１２３の長孔１２３ｉ、１２３ｈそれぞれに挿通された螺子１２５、１２６がベース部材１４の本体部１４１に穿設された螺子孔１４１ｄ、１４１ｅ（図４参照）に螺着されることにより、支持部材１２３がベース部材１４の本体部１４１に固定されている。
【００３０】
次に、本実施形態に係る第１反射ユニット１２について、ミラー１２１の支持部材１２３に対する傾きを調整してからミラー１２１を支持部材１２３に固定する場合について図７を参照しながら説明する。まず、螺子１２２ｅを緩めてミラーホルダ１２２をベース部材１４に固定された支持部材１２３に対して傾ける。このとき、図７（Ｂ）に示すように、ホルダ本体１２２ａの固定片１２２６の外面１２２ｆを、支持部材１２３の基台部１２３ｃのミラーホルダ１２２側の面１２３ｋに沿って摺動させることにより、図７（Ａ）に示すように、ミラーホルダ１２２を支持部材１２３に対して傾ける（図７（Ａ）および（Ｂ）中の矢印ＡＲ１参照）。
【００３１】
その後、螺子１２２ｅを基台部１２３ｃの螺子孔１２３ｊにねじ込むことにより、ミラーホルダ１２２が支持部材１２３に対して傾いた状態でミラーホルダ１２２を支持部材１２３に固定する。このとき、螺子１２２ｅの頭部の丸みを帯びた周部とホルダ本体１２２ａの固定片１２２６に形成されたテーパ部１２２ｇとが２箇所で接触した状態で、ミラーホルダ１２２が支持部材１２３に固定される。
【００３２】
次に、本実施形態に係る第１反射ユニット１２全体を、ベース部材１４に対して傾けて固定する場合について図８を参照しながら説明する。まず、螺子１２５、１２６を緩めて第１反射ユニット１２全体をベース部材１４に対して傾ける。このとき、第１反射ユニット１２全体を、軸部１２３ｇを中心にして回転させることにより、第１反射ユニット１２全体をベース部材１４に対して傾ける（図８の矢印ＡＲ２参照）。このとき、螺子１２５、１２６の軸部は、それぞれ長孔１２３ｉ、１２３ｈ内を第１反射ユニット１２の回転方向とは反対方向に移動する（図８の矢印ＡＲ２１、ＡＲ２２参照）。
【００３３】
その後、螺子１２５、１２６をベース部材１４の本体部１４１に設けられた螺子孔にねじ込むことにより、第１反射ユニット１２全体がベース部材１４に対して傾いた状態で第１反射ユニット１２をベース部材１４に固定する。
【００３４】
以上説明したように、本実施の形態に係る表示装置１０は、プロジェクタ１１から出射される表示光をスクリーン１６へ導く第１反射ユニット１２および第２反射ユニット１３と、プロジェクタ１１、スクリーン１６、第１反射ユニット１２および第２反射ユニット１３が装着されたベース部材１４と、を備える。第１反射ユニット１２は、図３に示すように、ミラー１２１とミラーホルダ１２２とミラーホルダ１２２を支持する支持部材１２３と、を有する。そして、支持部材１２３は、ベース部材１４に対して第１回転軸Ｊ１周りに回転可能な状態でベース部材１４に装着され、ミラーホルダ１２２は、支持部材１２３に対して第２回転軸Ｊ２周りに回転可能な状態で支持部材１２３に支持されている。これにより、第１反射ユニット１２のミラー１２１を第１回転軸Ｊ１周りまたは第２回転軸Ｊ２周りに回転させることによりミラー１２１の姿勢を調整することができるので、プロジェクタ１１の位置および姿勢を固定した状態でもスクリーン１６へ投影される表示画像の位置や傾きを調整することができる。つまり、本実施の形態に係る表示装置１０は、例えば特許文献１に記載される、プロジェクタ１１の位置や姿勢を調整することによりスクリーン１６へ投影される表示画像の位置や傾きを調整できる構成と同等の機能を備える。そして、ミラーホルダ１２２および支持部材１２３は、プロジェクタ１１の位置や姿勢を調整する機構に比べて小型化することができるので、表示装置１０は、前述のプロジェクタ１１の位置や姿勢を調整することができる構成に比べて小型化を図ることができる。
【００３５】
また、本実施の形態に係る表示装置１０では、プロジェクタ１１を固定した状態で第１反射ユニット１２のミラー１２１の傾きを調整することにより、スクリーン１６に投影される表示画像の位置や傾きを調整する。これにより、例えばプロジェクタ１１の位置や姿勢を調整することによりスクリーン１６に投影される表示画像の位置や傾きを調整する構成に比べて、プロジェクタ１１と制御回路基板１５とを電気的に接続するフレキシブル配線板に加わる応力を低減できる。従って、フレキシブルプリント配線板の断線等の発生を抑制することができる。
【００３６】
更に、本実施の形態に係る支持部材１２３は、ミラーホルダ１２２を第２回転軸Ｊ２周りに回転可能に支持する２つの支柱部１２３ａと、ミラーホルダ１２２の固定片１２２６の長孔１２２ｄに対応する部位に螺子孔１２３ｊが穿設された基台部１２３ｃと、を有する。ミラーホルダ１２２は、長孔１２２ｄに挿通された螺子１２２ｅが基台部１２３ｃの螺子孔１２３ｊに螺着されることにより、支持部材１２３に固定される。そして、螺子孔１２３ｊの中心軸Ｊ３は、第２回転軸Ｊ２と直交する方向に延伸している。これにより、螺子１２２ｅを螺子孔１２３ｊにねじ込む際に螺子１２２ｅに作用させる力によりミラーホルダ１２２が第２回転軸Ｊ２周りに回転するのを抑制できる。従って、ミラーホルダ１２２を第２回転軸Ｊ２周りに回転させてミラーホルダ１２２の姿勢を調整した後、螺子１２２ｅを螺子孔１２３ｊにねじ込む際にミラーホルダ１２２の姿勢がずれてしまうことを抑制できる。また、ミラーホルダ１２２を１つの螺子１２２ｅだけで支持部材１２３に固定する構成としながらも、ミラーホルダ１２２をバランス良く支持部材１２３に固定することができるという利点もある。
【００３７】
また、本実施の形態に係るホルダ本体１２２ａの固定片１２２６における基台部１２３ｃ側とは反対側の面には、図５（Ｂ）に示すように、長孔１２２ｄに近づくほど深くなるテーパ部１２２ｇが設けられている。そして、ミラーホルダ１２２が第１回転軸Ｊ１に対して傾いた状態で螺子１２２ｅによりミラーホルダ１２２を支持部材１２３に固定する場合、螺子１２２ｅの頭部とテーパ部１２２ｇとが２箇所で接触した状態となる。これにより、例えば螺子１２２ｅの頭部とテーパ部１２２ｇとが１箇所だけで接触している場合に比べて、螺子１２２ｅの頭部から固定片１２２６に対して均一な力が作用する。従って、螺子１２２ｅを螺子孔１２３ｊにねじ込む際、螺子１２２ｅからミラーホルダ１２２に作用する力が不均一であることに起因したミラーホルダ１２２の連れ回りによる位置ずれの発生を抑制できる。
【００３８】
更に、本実施の形態に係る基台部１２３ｃは、支柱部１２３ａ側とは反対側に突出した軸部１２３ｇと、第１回転軸Ｊ１方向に基台部１２３ｃを貫通し軸部１２３ｇを中心とする円弧Ｃ１、Ｃ２に沿って延伸する２つの長孔１２３ｈ、１２３ｉと、を有する。そして、ベース部材１４は、基台部１２３ｃの軸部１２３ｇに対応する部位に穿設され軸部１２３ｇが嵌合する軸受孔１４１ｃと、基台部１２３ｃの長孔１２３ｈ、１２３ｉに対応する部位に穿設され長孔１２３ｈ、１２３ｉに挿通された螺子１２５、１２６が螺着する螺子孔と、を有する。これにより、第１反射ユニット１２の第１回転軸Ｊ１周りの回転が、長孔１２３ｈ、１２３ｉに挿通された螺子１２５、１２６により規制されるので、第１反射ユニット１２が第１回転軸Ｊ１周りに大きく傾くことによる他の部材との干渉を防止することができる。
【００３９】
また、本実施の形態に係る第１反射ユニット１２は、プロジェクタ１１に最も近い位置に配置されている。これにより、第１反射ユニット１２のミラー１２１の傾きの変化量に対する表示画像の位置の変化量を大きくすることができるので、表示画像の位置の調整範囲を大きくすることができる。
【００４０】
［変形例］
以上、本発明の実施の形態について説明したが、本発明は前述の実施の形態の構成に限定されるものではない。例えば、第１反射ユニット１２のみならず、第２反射ユニット１３においても第１反射ユニット１２と同様のミラーホルダおよび支持部材を備え、ミラーホルダが保持するミラーの傾きを変更できるものであってもよい。また、第１反射ユニット１２のミラー１２１の傾きが固定されており、第２反射ユニット１３のみミラーの傾きを変更できるものであってもよい。
【００４１】
前述の実施の形態では、第１反射ユニット１２と第２反射ユニット１３との２つの反射ユニットを備える表示装置１０の例について説明したが、反射ユニットの数は２つに限定されるものではない。例えば、反射ユニットを１つだけ備える構成であってもよいし、反射ユニットを３つ以上備える構成であってもよい。
【００４２】
前述の実施の形態では、ミラーホルダ１２２が、ホルダ本体１２２ａの一対の側壁１２２２それぞれから第２回転軸Ｊ２に沿って互いに離れる方向へ突出する突起部１２４を有し、支持部材１２３が、先端部の凹部１２３ｅに突起部１２４が嵌合した状態でホルダ本体１２２ａを支持する２つの支柱部１２３ａを有する例について説明した。但し、支柱部１２３ａが、ホルダ本体１２２ａを支持する構造はこれに限定されるものではない。例えば、支柱部１２３ａの先端部に第２回転軸Ｊ２方向に貫通する貫通孔（図示せず）が設けられたものであってもよい。この場合、支持部材１２３は、突起部１２４が貫通孔に挿通された状態で、ミラーホルダ１２２を支持する。
【００４３】
或いは、ホルダ本体１２２ａの一対の側壁１２２２それぞれに第２回転軸Ｊ２方向に貫通する貫通孔（図示せず）が設けられ、２つの支柱部１２３ａの先端部に第２回転軸Ｊ２方向に沿って互いに近づく方向に突出した突起部（図示せず）が設けられた構成であってもよい。この場合、支持部材１２３は、突起部がホルダ本体１２２ａの側壁１２２２の貫通孔に嵌合した状態で、ミラーホルダ１２２を支持する。
【００４４】
前述の実施の形態では、ホルダ本体１２２ａの固定片１２２６に長孔１２２ｄに近づくほど深くなるテーパ部１２２ｇが設けられている例について説明したが、これに限らず、例えば固定片１２２６の長孔１２２ｄの外周部にテーパ部が設けられていない構成であってもよい。
【００４５】
前述の実施の形態では、基台部１２３ｃが２つの長孔１２３ｈ、１２３ｉを備える例について説明したが、これに限らず、例えば２つの長孔１２３ｈ、１２３ｉのいずれか一方のみを備える構成であってもよい。この場合、ベース部材１４の本体部１４１は、２つの長孔１２３ｈ、１２３ｉのいずれか一方に対応する螺子孔１４１ｄ、１４１ｅを備える構成とすることができる。
【００４６】
前述の実施の形態では、螺子１２２ｅにより固定片１２２６を基台部１２３ｃに固定することにより、ミラーホルダ１２２を支持部材１２３に固定する例について説明したが、ミラーホルダ１２２の支持部材１２３への固定方法はこれに限定されない。例えば、支持部材１２３の支柱部１２３ａ、１２３ｂが、第２回転軸Ｊ２よりも上方まで延出し先端部に長孔が設けられたものであり、ホルダ本体１２２ａの各側壁１２２２が、その支柱部１２３ａ、１２３ｂの長孔に対応する部位に螺子孔が穿設されたものであってもよい。この場合、ミラーホルダ１２２を第１回転軸Ｊ１に対して傾けた状態で長孔に挿通した螺子をホルダ本体１２２ａの螺子孔に螺着することにより、ミラーホルダ１２２を第１回転軸Ｊ１に対して傾いた状態で支持部材１２３に固定することができる。
【００４７】
前述の実施の形態では、スクリーン１６がベース部材１４に固定されている例について説明したが、スクリーン１６は必ずしもベース部材１４に固定されているものに限定されるものではない。
【符号の説明】
【００４８】
１：ヘッドアップディスプレイ装置、２：上ケース、２ａ，１４１ａ，１２２３：開口部、３：凹面鏡、４：平面鏡、５：カバーガラス、６：ブラインドカバー、９：下ケース、１０：表示装置、１１：プロジェクタ、１２：第１反射ユニット、１３：第２反射ユニット、１４：ベース部材、１５：制御回路基板、１６：スクリーン、１２１：ミラー、１２２：ミラーホルダ、１２２ａ：ホルダ本体、１２２ｂ：ホルダカバー、１２２ｄ，１２３ｈ，１２３ｉ：長孔、１２２ｅ，１２５，１２６，１２７：螺子、１２２ｆ：外面、１２２ｇ：テーパ部、１２３：支持部材、１２３ａ，１２３ｂ：支柱部、１２３ｃ：基台部、１２３ｄ：舌片部、１２３ｅ：凹部、１２３ｆ，１２２７：リブ、１２３ｇ：軸部、１２３ｊ，１４１ｄ，１４１ｅ，１２２８：螺子孔、１２３ｋ：面、１２４：突起部、１４１：本体部、１４１ｂ，１２２９：貫通孔、１４１ｃ：軸受孔、１４２：プロジェクタ固定部、１４３：スクリーン固定部、１７１：基板カバー、１７２：基板ホルダ、１２２１：枠部、１２２２：側壁、１２２４：側片、１２２５：切欠部、１２２６：固定片、Ｆ：フロントガラス、Ｊ１：第１回転軸、Ｊ２：第２回転軸、Ｊ３：中心軸、Ｌ：表示光
【図１】
2017167292.tif 000003
【図２】
2017167292.tif 000004
【図３】
2017167292.tif 000005
【図４】
2017167292.tif 000006
【図５】
2017167292.tif 000007
【図６】
2017167292.tif 000008
【図７】
2017167292.tif 000009
【図８】
2017167292.tif 000010